(57)【要約】【課題】ループ形成手段を備えた画像記録装置において無駄な待機時間を少なくする。【解決手段】露光搬送部９を、第１搬送ローラ対４０、第２搬送ローラ対４１等から構成する。露光後搬送部１０を、第３搬送ローラ対５３、第４搬送ローラ対５４、第５搬送ローラ対５５、第１搬送ガイド５６、第２搬送ガイド５７等から構成する。図３（Ｄ）及び（Ｅ）に示すように、走査露光完了直後、第１搬送ガイド５６が閉じて第３搬送ローラ対５３の従動ローラ５３Ｂがカット印画紙１６に圧接し、第２搬送ローラ対４１の従動ローラ４１Ｂが退避位置に移動する。従動ローラ４１Ｂが退避位置に移動しても、ループが形成されたカット記録紙１６が逆流することはない。【選択図】        図３
2006242985.tif 000002
【特許請求の範囲】
【請求項１】
感光材料を搬送しながら露光部で走査露光して画像を記録する画像記録装置において、
走査露光位置よりも搬送方向下流側に配置され前記感光材料に対して圧接状態及び圧接解除状態をとり走査露光に合わせて前記感光材料を搬送する第１ローラ対と、
前記第１ローラ対よりも搬送方向下流側で前記感光材料にループを形成するループ形成手段と、
前記ループ形成手段によって形成されるループよりも搬送方向上流側で前記感光材料に対して圧接状態及び圧接解除状態をとり、走査露光完了後に圧接状態に切り替えられる第２ローラ対とを備えたことを特徴とする画像記録装置。
【請求項２】
前記ループ形成手段は、前記第１ローラ対の搬送方向下流側に配置され、搬送経路上にループ空間を形成する第１位置及び搬送経路に沿って前記感光材料をガイドする第２位置の間で、上流側端部に設けた軸を中心に揺動自在な第１搬送ガイドと、
前記第１搬送ガイドの搬送方向下流側に配置され、搬送経路上にループ空間を形成する第１位置及び搬送経路に沿って前記感光材料をガイドする第２位置の間で、下流側端部に設けた軸を中心に揺動自在な第２搬送ガイドと、
前記第２搬送ガイドの搬送方向下流側に配置され、前記第１ローラ対よりも遅い搬送速度で前記感光材料を搬送する第３ローラ対とから構成されることを特徴とする請求項１記載の画像記録装置。
【請求項３】
前記第２ローラ対は、装置本体に設けられた駆動ローラと、前記第１搬送ガイドに設けられた従動ローラとから構成され、前記従動ローラは前記第１搬送ガイドと共に変位することを特徴とする請求項２記載の画像記録装置。
【請求項４】
露光部によって走査露光される感光材料を搬送する感光材料搬送方法において、
走査露光位置よりも搬送方向下流側に配置され前記感光材料に対して圧接状態及び圧接解除状態をとる第１ローラ対を、前記感光材料の先端がローラ間を通過するのに合わせて圧接状態に切り替えて前記感光材料を搬送し、
走査露光中に前記第１ローラ対よりも搬送方向下流側で前記感光材料にループを形成し、
前記ループよりも搬送方向上流側で前記感光材料に対して圧接状態及び圧接解除状態をとる第２ローラ対を、走査露光完了に合わせて圧接状態に切り替え、
前記第２ローラ対が圧接状態に切り替えられるのに合わせて前記第１ローラ対を圧接解除状態に切り替えることを特徴とする感光材料搬送方法。
【発明の詳細な説明】
【技術分野】
【０００１】
本発明は、感光材料を搬送しながら露光部で走査露光して画像を記録する画像記録装置、及び感光材料を搬送する感光材料搬送方法に関する。
【背景技術】
【０００２】
写真フイルムに撮影された画像を画像読取装置によって光電的に読み取り、この読み取った画像データに基づいて感光記録紙（以下、記録紙）を走査露光して画像を記録する画像記録装置が知られている。このような画像記録装置においては、記録紙を搬送しながら走査露光が行われるため、記録紙を高い精度で安定して搬送することが求められる。しかし、走査露光中の記録紙の先端部が、搬送方向下流側の搬送ローラ対に突き当たったり搬送ガイドの一部に引っ掛かったりしたときなどには、このときの振動が記録紙に伝達されて記録紙に走査ムラを生じさせることがあった。
【０００３】
走査ムラを防止するために、露光搬送部の搬送方向下流側で記録紙にループを形成する技術が知られている（例えば、特許文献１参照）。形成したループで振動を吸収することにより、記録紙の走査露光領域へ振動が伝達されることを防ぐことができる。また、ループを形成することにより搬送路を短くすることができるため、装置を小型化することができる。
【０００４】
特許文献１に記載された装置では、走査露光位置よりも搬送方向上流側に配置した第１露光搬送ローラと搬送方向下流側に配置した第２露光搬送ローラとによって、走査露光に合わせて記録紙を搬送し、第２露光搬送ローラよりも搬送方向下流側でループを形成している。第２露光搬送ローラは、記録紙に圧接する圧接状態と圧接を解除する圧接解除状態との間で切り替え自在とされており、形成したループの消滅後に圧接解除状態に切り替えられる。第２搬送ローラを圧接解除状態に切り替える動作は、次（二枚目）の記録紙を迎え入れて走査露光を施すために必要な露光準備動作とされている。
【特許文献１】特開２００１−８３６０９号公報
【発明の開示】
【発明が解決しようとする課題】
【０００５】
特許文献１に記載された装置では、一枚目の記録紙の走査露光完了後であってもループが消滅するまでは、第２露光搬送ローラを圧接解除状態に切り替えることができなかった。仮に一枚目の記録紙の走査露光完了直後に第２露光搬送ローラを圧接解除状態に切り替えたとすると、一枚目の記録紙の後端部が搬送方向と逆方向に進行し、一枚目の記録紙の後端部と二枚目の記録紙の先端部が重なり合ったり、また重なり合わなくても互いに接近し、その後の処理に悪影響を及ぼしてしまう。このため、複数枚の記録紙に連続して走査露光施す場合には、無駄な待機時間が発生し処理に時間がかかるという問題が生じていた。
【０００６】
本発明では、ループ形成手段を備える場合であっても無駄な待機時間を生じさせることのない画像記録装置を提供することを目的とする。
【課題を解決するための手段】
【０００７】
本発明は、感光材料を搬送しながら露光部で走査露光して画像を記録する画像記録装置に関し、走査露光位置よりも搬送方向下流側に配置され前記感光材料に対して圧接状態及び圧接解除状態をとり走査露光に合わせて前記感光材料を搬送する第１ローラ対と、前記第１ローラ対よりも搬送方向下流側で前記感光材料にループを形成するループ形成手段と、前記ループ形成手段によって形成されるループよりも搬送方向上流側で前記感光材料に対して圧接状態及び圧接解除状態をとり、走査露光完了後に圧接状態に切り替えられる第２ローラ対とを備えたことを特徴とする。ここで走査露光完了時とは、感光材料の記録領域の後端が走査露光位置を通過したときを意味する。また、圧接解除状態とは、圧接を完全に解除するときばかりでなく、負荷にならない程度の圧接力で感光材料を圧接する（つまり弱い圧接力で圧接する）ときも含むこととする。
【０００８】
前記ループ形成手段は、前記第１ローラ対の搬送方向下流側に配置され、搬送経路上にループ空間を形成する第１位置及び搬送経路に沿って前記感光材料をガイドする第２位置の間で、上流側端部に設けた軸を中心に揺動自在な第１搬送ガイドと、前記第１搬送ガイドの搬送方向下流側に配置され、搬送経路上にループ空間を形成する第１位置及び搬送経路に沿って前記感光材料をガイドする第２位置の間で、下流側端部に設けた軸を中心に揺動自在な第２搬送ガイドと、前記第２搬送ガイドの搬送方向下流側に配置され、前記第１ローラ対よりも遅い搬送速度で前記感光材料を搬送する第３ローラ対とから構成されることが好ましい。特に、第１搬送ガイドの上流側端部が前記第１ローラ対の近傍にあることが好ましい。これにより、前記第１ローラ対の近傍からループを形成することができ、搬送路を短くすることができる。
【０００９】
前記第２ローラ対は、装置本体に設けられた駆動ローラと、前記第１搬送ガイドに設けられた従動ローラとから構成され、前記従動ローラは前記第１搬送ガイドと共に変位することが好ましい。これにより、第１搬送ガイドと従動ローラとを変位させる駆動源を共通化することができるため、構成を簡易にすることができる。また、第２ローラ対を第１搬送ガイド上の任意の位置に設けることができ設計の自由度が大きくなる。第２ローラ対を第１ローラ対から離して配置することも可能となる。ここで、第１ローラ対と第２ローラ対との距離は、最も小さいサイズの感光材料における搬送方向長さと同じ程度にすることで、配置するローラ対の数を抑えることができる。
【００１０】
本発明は、露光部によって走査露光される感光材料を搬送する感光材料搬送方法に関し、走査露光位置よりも搬送方向下流側に配置され前記感光材料に対して圧接状態及び圧接解除状態をとる第１ローラ対を、前記感光材料の先端がローラ間を通過するのに合わせて圧接状態に切り替えて前記感光材料を搬送し、走査露光中に前記第１ローラ対よりも搬送方向下流側で前記感光材料にループを形成し、前記ループよりも搬送方向上流側で前記感光材料に対して圧接状態及び圧接解除状態をとる第２ローラ対を、走査露光完了に合わせて圧接状態に切り替え、前記第２ローラ対が圧接状態に切り替えられたのに合わせて前記第１ローラ対を圧接解除状態に切り替えることを特徴とする。
【発明の効果】
【００１１】
本発明の画像記録装置によれば、走査露光位置よりも搬送方向下流側に配置され感光材料に対して圧接状態及び圧接解除状態をとり走査露光に合わせて感光材料を搬送する第１ローラ対と、第１ローラ対よりも搬送方向下流側で感光材料にループを形成するループ形成手段と、ループ形成手段によって形成されるループよりも搬送方向上流側で感光材料に対して圧接状態及び圧接解除状態をとり走査露光完了後に圧接状態に切り替えられる第２ローラ対とを備えたので、走査露光完了直後において第２ローラ対を圧接状態に切り替えて感光材料の逆送を防止するとともに第１ローラ対を圧接解除状態に切り替えることができる。二枚目の感光材料を迎え入れるための露光準備動作を一枚目の走査露光完了直後に行うことができるため、連続して走査露光を行う場合であっても無駄な待機時間は生じず、迅速に処理を行うことができる。
【００１２】
本発明の感光材料搬送方法によれば、走査露光位置よりも搬送方向下流側に配置され感光材料に対して圧接状態及び圧接解除状態をとる第１ローラ対を感光材料の先端がローラ間を通過するのに合わせて圧接状態に切り替えて感光材料を搬送し、走査露光中に第１ローラ対よりも搬送方向下流側で感光材料にループを形成し、ループよりも搬送方向上流側で感光材料に対して圧接状態及び圧接解除状態をとる第２ローラ対を走査露光完了に合わせて圧接状態に切り替え、第２ローラ対が圧接状態に切り替えられたのに合わせて第１ローラ対を圧接解除状態に切り替えるので、第２ローラ対が走査露光完了に合わせて圧接状態に切り替えられて感光材料の逆送を防止し、同時に第１ローラ対を圧接解除状態に切り替えることができる。二枚目の感光材料を迎え入れるための露光準備動作を一枚目の走査露光完了直後に行うことができるため、連続して走査露光を行う場合であっても無駄な待機時間は生じず、迅速に処理を行うことができる。
【発明を実施するための最良の形態】
【００１３】
図１に示すように、画像記録装置２は、プリンタ部３とプロセサ部４とから構成される。プリンタ部３は、マガジン５、カッタ装置６、裏印字装置７、露光装置８、露光搬送部９、露光後搬送部１０等を備えている。
【００１４】
マガジン５内には、長尺の感光記録紙（以下、記録紙と称する）を巻芯に巻き取った記録紙ロール１４が収納されている。マガジン５がプリンタ部３にセットされると、マガジン５内の搬送ローラ対１５が回転し、記録紙ロール１４から感光記録紙が引き出される。カッタ装置６は、引き出された感光記録紙を所定の寸法に切断してカット記録紙１６とする。なお、図中一点鎖線で示すのはカット記録紙１６の搬送経路である。
【００１５】
カッタ装置６の搬送方向下流側には、裏印字装置７が設けられている。裏印字装置７は、カット記録紙１６の裏面にコマ番号や補正データ等の情報を印字する。裏印字装置７の搬送方向下流側には、露光装置８が設けられている。露光装置８には、周知のレーザプリンタが内蔵されており、内部の画像データ又は図示しない画像読取装置から転送された画像データに基づいて、カット記録紙１６を走査露光して画像を潜像記録する。
【００１６】
露光搬送部９は、走査露光に合わせてカット記録紙１６を搬送する。露光後搬送部１０は、カット記録紙１６の搬送を露光搬送部９から引き継ぎ、カット記録紙１６をプロセサ部４へと搬送する。露光搬送部９及び露光後搬送部１０の詳細については後述する。
【００１７】
プロセサ部４は、現像装置２０、乾燥装置２１、シート排出装置２２から構成される。現像装置２０には、搬送方向上流側から順に、現像槽２３、漂白定着槽２４、水洗槽２５が設けられている。水洗槽２５は、第１水洗槽２６、第２水洗槽２７、第３水洗槽２８、第４水洗槽２９からなる。現像槽２３には現像液が、漂白定着槽２４には漂白定着液が、また、水洗槽２５には洗浄液が所定量貯蔵されている。カット記録紙１６は、現像槽２３、漂白定着槽２４、及び水洗槽２５にそれぞれ設けられた搬送ラック３０，３１，３２により各処理槽内を搬送されて、現像・定着・洗浄の各処理が行われる。
【００１８】
乾燥装置２１は、各処理槽の上方に配置されており、搬送ベルトと送風ダクトとから構成されている。送風ダクトは、搬送ベルトに向けてヒータで熱せられた乾燥風を吹き出して、カット記録紙１６を搬送ベルト側に押し付ける。この状態で送風ダクト上を通過することで、カット記録紙１６は乾燥される。乾燥装置２１を通過したカット記録紙１６は、シート排出装置２２に向けて送られる。シート排出装置２２では、プリントサイズまたはプリントジョブに応じてカット記録紙１６を振り分け、プロセサ部４に設けられたトレイ３３に排出する。
【００１９】
以下では、露光搬送部９及び露光後搬送部１０について詳細に説明する。図２に示すように、露光搬送部９は、第１搬送ローラ対４０、第２搬送ローラ対（第１ローラ対）４１、第１検出センサ４２、第２検出センサ４３等から構成される。
【００２０】
第１搬送ローラ対４０は、露光装置８によって走査露光が行われる露光位置よりも搬送方向上流側に配置され、駆動ローラ４０Ａと従動ローラ４０Ｂとから構成される。駆動ローラ４０Ａは、モータ４４の動力がベルト４５を介して伝達されて回転する。従動ローラ４０Ｂは、変位機構４６によって、駆動ローラ４０Ａの周面に圧接する圧接位置と、周面から離れる退避位置の間で変位する。変位機構４６は、従動ローラ４０Ｂの位置を切り替えるばかりでなく、従動ローラ４０Ｂが駆動ローラ４０Ａに圧接するときの圧接力の強弱も調節することができる。
【００２１】
第２搬送ローラ対４１は、露光位置よりも搬送方向下流側に配置され、駆動ローラ４１Ａと従動ローラ４１Ｂとから構成される。駆動ローラ４１Ａは、駆動ローラ４０Ａに掛け渡されたベルト４８を介して動力が伝達され、駆動ローラ４０Ａに同期して回転する。従動ローラ４１Ｂは、従動ローラ４０Ｂと同様に、変位機構４９によって圧接位置と退避位置との間を変位し、圧接位置では圧接力の強弱が調節される。
【００２２】
第１検出センサ４２は、第１搬送ローラ対４０の搬送方向上流側に配置されている。第２検出センサ４３は、第１搬送ローラ対４０と第２搬送ローラ対４１との間に配置されている。各検出センサ４２，４３は、カット記録紙１６の有無を検出して、検出信号をシステムコントローラ４７に送る。システムコントローラ４７では、検出信号に基づいてモータ４４や変位機構４６，４９等を制御する。
【００２３】
露光後搬送部１０は、第３搬送ローラ対（第２ローラ対）５３、第４搬送ローラ対５４、第５搬送ローラ対（第３ローラ対）５５、第１搬送ガイド５６、第２搬送ガイド５７、第３検出センサ６６等から構成される。
【００２４】
第３搬送ローラ対５３は、駆動ローラ５３Ａと従動ローラ５３Ｂとから構成されている。駆動ローラ５３Ａは、モータ５８の動力がベルト５９を介して伝達されて回転する。駆動ローラ５３Ａの周面の速度は駆動ローラ４０Ａ，４１Ａの周面の速度と同じにされる。従動ローラ５３Ｂは、第１搬送ガイド５６に取り付けられており、第１搬送ガイド５６と共に変位する。
【００２５】
第３搬送ローラ対５３と第２搬送ローラ対４１との距離は、最も小さいタイプのカット記録紙における搬送方向長さより若干短い程度の長さとされている。また、第３搬送ローラ対５３と第４搬送ローラ対５４との距離も同様の長さとされている。これにより、露光後搬送部１０に配置する搬送ローラ対の数を必要最小限に抑えることができる。
【００２６】
第１搬送ガイド５６は、第２搬送ローラ対４１の搬送方向下流側に配置され、断面形状が円弧状である。第１搬送ガイド５６の上流側端部は第２搬送ローラ対４１に近接しており、この上流側端部には回転軸５６ａが設けられている。第１搬送ガイド５６は、モータ６０ａとアーム６０ｂとからなる変位機構６０によって、回転軸５６ａを中心に揺動自在とされている。第１搬送ガイド５６は、図中反時計回りに回転して搬送路上にループ空間を作ってカット記録紙１６のループの形成を許容するループ形成位置（第１位置）、図中時計回りに回転して従動ローラ５３Ｂを駆動ローラ５３Ａから僅かに離した状態でカット記録紙１６の先端部をガイドする第１ガイド位置（第２位置）、従動ローラ５３Ｂを駆動ローラ５３Ａに圧接した状態でカット記録紙１６の先端部をガイドする第２ガイド位置（第２位置）の３位置の間で変位する。
【００２７】
第４搬送ローラ対５４は、駆動ローラ５４Ａと従動ローラ５４Ｂとから構成されている。駆動ローラ５４Ａは、モータ５８の動力がベルト５９を介して伝達され、駆動ローラ５３Ａに同期して回転する。従動ローラ５４Ｂは、第２搬送ガイド５７に取り付けられており、第２搬送ガイド５７と共に変位する。
【００２８】
第２搬送ガイド５７は、第１搬送ガイド５６の搬送方向下流側に配置され、断面形状が円弧状である。第２搬送ガイド５７の下流側端部には回転軸５７ａが設けられている。第２搬送ガイド５７は、モータ６１ａとアーム６１ｂとからなる変位機構６１によって、回転軸５７ａを中心に揺動自在とされている。第２搬送ガイド５７の上流側端部には、カット記録紙１６を円滑に搬送するための回転自在なローラ５７ｂが設けられている。第２搬送ガイド５７は、図中時計回りに回転して搬送路上にループ空間を作ってカット記録紙１６にループの形成を許容するループ形成位置（第１位置）、図中反時計回りに回転して従動ローラ５４Ｂを駆動ローラ５４Ａに圧接した状態でカット記録紙１６の先端部をガイドする第１ガイド位置（第２位置）、従動ローラ５４Ｂを駆動ローラ５４Ａに圧接した状態でカット記録紙１６の先端部をガイドする第２ガイド位置（第２位置）の３位置の間で変位する。
【００２９】
第５搬送ローラ対５５は、第２搬送ガイド５７の搬送方向下流側に配置され、駆動ローラ５５Ａと従動ローラ５５Ｂとから構成される。駆動ローラ５５Ａは、ローラ６２及びベルト６３，６４を介して伝達された動力によって回転する。駆動ローラ５５Ａの周面の速度は、駆動ローラ４０Ａ，４１Ａ，５３Ａ，５４Ａの周面速度よりも遅くされている。従動ローラ５５Ｂは、変位機構６５によって、圧接位置と退避位置との間を変位し、圧接位置では圧接力の強弱が調節される。
【００３０】
第３検出センサ６６は、第２搬送ガイド５７よりも搬送方向下流側に配置されている。第３検出センサ６６は、第１及び第２検出センサ４２，４３と同様に、カット記録紙１６の有無を検出して、検出信号をシステムコントローラ４７に送る。システムコントローラ４７では、各検出信号に基づいてモータ５８や変位機構６０，６１，６５等を制御している。システムコントローラ４７では、搬送しているカット記録紙１６の搬送方向長さに関する情報を取得し、このカット記録紙１６に必要なループ量を算出し、各搬送ガイド５６，５７のループ形成位置を決定することも行っている。
【００３１】
以下、上記構成による作用について図１〜図３を用いて説明する。カット記録紙１６は、裏印字装置７を経て露光搬送部９へ搬送される。図３（Ａ）に示すように、第１搬送ローラ対４０の従動ローラ４０Ｂは圧接位置に、第２搬送ローラ対４１の従動ローラ４１Ｂは退避位置に、第１及び第２搬送ガイド５６，５７は各従動ローラが各駆動ローラから少し離れる第１ガイド位置に、第５搬送ローラ対５５の従動ローラ５５Ｂは退避位置に位置している。また、露光搬送部９及び露光後搬送部１０の各駆動ローラは回転を開始している。
【００３２】
カット記録紙１６が第１搬送ローラ４０に圧接されて搬送され、カット記録紙１６の先端部が第２検出センサ４３を通過すると、露光装置８によって走査露光が開始される。カット記録紙１６の先端部が第２搬送ローラ４１のローラ間を通過すると、従動ローラ４１Ｂが圧接位置に移動する。ここで従動ローラ４１Ｂのカット記録紙１６に対する圧接力は徐徐に強くされる。これにより、カット記録紙１６にかかる負荷は急激に変化することはないため、走査露光領域に振動が伝達されることはなく、走査ムラは生じない。カット記録紙１６は、第１及び第２搬送ローラ対４０，４１に圧接され、走査露光に合わせて搬送される。
【００３３】
カット記録紙１６は、第１及び第２搬送ガイド５６，５７に案内されて搬送される。カット記録紙１６は回転する駆動ローラ５３Ａ，５４Ａ上を搬送されるので、円滑に搬送される。図３（Ｂ）に示すように、カット記録紙１６の先端部が第３検出センサ６６を通過すると、第５搬送ローラ対５５の従動ローラ５５Ｂが圧接位置に移動する。ここで、従動ローラ５５Ｂは従動ローラ４１Ｂと同様に、カット記録紙１６に対する圧接力を徐徐に強くするため、走査ムラは生じない。
【００３４】
この後、図３（Ｃ）に示すように、第１及び第２搬送ガイド５６，５７がループ形成位置に移動する。カット記録紙１６の搬送速度は第２搬送ローラ対４１よりも第５搬送ローラ対５５のほうが遅くされているので、第２搬送ローラ対４１と第５搬送ローラ対５５との間のカット記録紙１６にたるみが生じ、ループが形成されてゆく。このループは、カット記録紙１６の先端部などから伝達される振動を吸収する。
【００３５】
カット記録紙１６の後端部が第１検出センサ４２を通過すると、第１搬送ローラ対４０の従動ローラ４０Ｂが退避位置に移動する。ここで従動ローラ４０Ｂは、カット記録紙１６に対する圧接力を徐徐に弱くしながら退避位置に移動する。このため、カット記録紙１６の後端部が第１搬送ローラ対４０から離れる際の負荷変動を小さくすることができ、走査ムラを防止することができる。
【００３６】
図３（Ｄ）に示すように、カット記録紙１６の後端部が第２検出センサ４３を通過すると走査露光は停止され、第１搬送ガイド５６は従動ローラ５３Ｂが圧接位置へと移動する第２ガイド位置に移動する。なお、カット記録紙の記録領域の全てに走査露光を完了した時点で、第１搬送ガイドを第２ガイド位置に移動してもよい。これにより、例えばインデックスプリントのように画像の周囲に余白がある場合には、より早いタイミングで第１搬送ガイドを移動することができる。
【００３７】
この後、図３（Ｅ）に示すように、第２搬送ローラ対４１の従動ローラ４１Ｂは退避位置に移動し、第１搬送ローラ対４０の従動ローラ４０Ｂは圧接位置に移動する。ここで、本実施形態では、第３搬送ローラ対５３がカット記録紙１６に圧接して保持するので、ループが形成されている状態で第２搬送ローラ対４１の従動ローラ４１Ｂを退避位置に移動させても、カット記録紙１６の逆流は生じない。このため、次のカット記録紙を迎え入れる準備を迅速に進めることができる。複数枚のカット記録紙に連続して走査露光を施す場合には時間が短縮される。
【００３８】
ループが縮小するにつれて第２搬送ガイド５７は従動ローラ５４Ｂが駆動ローラ５４Ａに圧接する第２ガイド位置へ移動してゆく。ループが消滅した後、第１及び第２搬送ガイド５６，５７は、各従動ローラが各駆動ローラから僅かに離れる第１ガイド位置に移動する。また、第５搬送ローラ対５５の従動ローラ５５Ｂは退避位置へ移動する。ループの縮小と並行して、次のカット記録紙の走査露光が開始され、以後上記動作が繰り返される。
【００３９】
なお、上記実施形態では、第３搬送ローラ対５３が走査露光直後のカット記録紙１６に圧接してカット記録紙１６を保持することとしたが、第３搬送ローラ対５３の替わりに図４に示すローラ対１００を設け、走査露光直後のカット記録紙１６をローラ対１００によって保持することとしてもよい。ローラ対１００は、第２搬送ローラ対４１と第１搬送ガイド５６との間に配置され、第１ローラ１００Ａと第２ローラ１００Ｂとから構成される。第１ローラ１００Ａにはワンウェイクラッチが内蔵されており搬送方向にのみ回転する。第２ローラ１００Ｂは、変位機構１０１によって、第１ローラ１００Ａの周面に圧接する圧接位置と、第１ローラ１００Ａの周面から退避する退避位置との間で移動する。走査露光直後にローラ対１００を圧接状態とすることによりカット記録紙１６の逆流を防ぎ、同時に第２搬送ローラ対４１を圧接解除状態とすることができる。
【００４０】
上記実施形態では、各搬送ローラ対の従動ローラ（例えば、従動ローラ４０Ｂ，４１Ｂ，５５Ｂ）を駆動ローラの周面から離すことで各搬送ローラ対を圧接解除状態としたが、従動ローラの駆動ローラに対する圧接力を弱めることで各搬送ローラ対を圧接解除状態としてもよい。このように、必ずしも従動ローラを駆動ローラから離さなくてもよい。ただし、走査露光に対する影響が小さい場合に限られる。
【００４１】
上記実施形態では、可動式の搬送ガイドを２つ設けたが数量は任意でよい。また、この搬送ガイドに必ずしも従動ローラを取り付けなくてもよい。
【図面の簡単な説明】
【００４２】
【図１】本発明の画像記録装置の概略図である。
【図２】露光搬送部及び露光後搬送部の概略図である。
【図３】カット記録紙及び各搬送部の動きを説明する説明図である。
【図４】別の実施形態における露光搬送部及び露光後搬送部の概略図である。
【符号の説明】
【００４３】
２  画像記録装置
３  プリンタ部
８  露光装置
９  露光搬送部
１０  露光後搬送部
４０  第１搬送ローラ対
４１  第２搬送ローラ対
５３  第３搬送ローラ対
５４  第４搬送ローラ対
５５  第５搬送ローラ対
５６  第１搬送ガイド
５７  第２搬送ガイド
【図１】
2006242985.tif 000003
【図２】
2006242985.tif 000004
【図３】
2006242985.tif 000005
【図４】
2006242985.tif 000006